(57)【特許請求の範囲】
【請求項１】
受動的構成品を管理運用するシステムであって、
工事情報流通・照合部、構成情報データベース、識別コード入力装置付きの構成変更工事支援部、各構成品に識別コードが取り付けられた受動的構成品群からなり、
工事情報流通・照合部は、
構成品の設計結果情報、選択結果情報又は検索結果情報を受け取り、工事指示情報を生成して構成変更工事支援部へ送信する機能、
設計結果情報、選択結果情報又は検索結果情報を構成情報データベースへ送信する機能、
構成変更工事支援部から作業内容情報又はエラー情報を受信する機能、
作業内容情報と設計結果情報、選定結果情報又は検索結果情報とを照合し、工事結果情報を構成情報データベースへ送信する機能、
エラー情報と前記工事指示情報とを照合し該エラー情報を上位部へ送る機能、
を具備し、
構成変更工事支援部は、
工事情報流通・照合部から工事指示情報を受信し、該工事指示情報を作業者へ表示する機能、
工事対象の構成品情報を識別コード入力装置を通して受け取り、該構成品情報が前記工事指示情報に含まれる構成品情報に合致すれば工事実施後の作業内容情報を工事情報流通・照合部へ送信し、工事が実施不能の場合にはエラー情報を工事情報流通・照合部へ送信する機能、
を具備し、
構成情報データベースは、
受動的構成品群の構成情報を格納し、設計結果情報、選定結果情報、予約変更削除情報又は検索結果情報と工事結果情報に従って構成情報を更新する機能を具備する、
ことを特徴とする受動的構成品の管理運用システム。
【請求項２】
受動的構成品を管理運用するシステムであって、
設計支援部又は自動設計部、工事情報流通・照合部、構成情報データベース、識別コード入力装置付きの構成変更工事支援部、各構成品に識別コードが取り付けられた受動的構成品群からなり、
設計支援部又は自動設計部は、
構成情報データベースを参照して、構成品の設計、選定又は検索を支援又は行い、設計結果情報、選定結果情報又は検索結果情報を出力する機能、
設計結果情報、選定結果情報又は検索結果情報を工事情報流通・照合部及び構成情報データベースへ送信する機能
を具備し、
工事情報流通・照合部は、
設計支援部又は自動設計部から設計結果情報、選択結果情報又は検索結果情報を受信し、工事指示情報を生成して構成変更工事支援部へ送信する機能、
構成変更工事支援部から作業内容情報又はエラー情報を受信する機能、
作業内容情報と設計結果情報、選定結果情報又は検索結果情報とを照合し、工事結果情報を構成情報データベースへ送信する機能、
エラー情報と前記工事指示情報とを照合し該エラー情報を前記設計支援部又は自動設計部に送信する機能、
を具備し、
構成変更工事支援部は、
工事情報流通・照合部から工事指示情報を受信し、該工事指示情報を作業者へ表示する機能、
工事対象の構成品情報を識別コード入力装置を通して受け取り、該構成品情報が前記工事指示情報に含まれる構成品情報に合致すれば工事実施後の作業内容情報を工事情報流通・照合部へ送信し、工事が実施不能の場合にはエラー情報を工事情報流通・照合部へ送信する機能、
を具備し、
構成情報データベースは、
受動的構成品群の構成情報を格納し、設計結果情報、選定結果情報、予約変更削除情報又は検索結果情報と工事結果情報に従って構成情報を更新する機能を具備する、
ことを特徴とする受動的構成品の管理運用システム。
【請求項３】
工事情報流通・照合部及び構成情報データベースは管理運用ワークステーションが具備し、
構成変更工事支援部は作業者のための作業支援携帯端末が具備することを特徴とする請求項１記載の受動的構成品の管理運用システム。
【請求項４】
設計支援部又は自動設計部、工事情報流通・照合部及び構成情報データベースは管理運用ワークステーションが具備し、
構成変更工事支援部は作業者のための作業支援携帯端末が具備することを特徴とする請求項２記載の受動的構成品の管理運用システム。
【請求項５】
構成情報データベースに受動的構成品の情報を蓄積し、コンピュータによって受動的構成品を管理運用する方法であって、
構成品の設計結果情報、選定結果情報又は検索結果情報を受け取り、該設計結果情報、選定結果情報又は検索結果情報により構成情報データベースの情報を予約状態とする工程と、
設計結果情報、選定結果情報又は検索結果情報により工事指示情報を生成して送信する工程と、
工事指示情報を受信し、該工事指示情報を作業者へ表示し、構成品情報を受け取り、工事後の作業内容情報又は工事不能を示すエラー情報を送信する工程と、
作業内容情報を受信した場合には、該作業内容情報と設計結果情報、選択結果情報又は検索結果情報とを照合し、構成情報データベースの情報を登録状態とし、エラー情報を受信した場合にはエラー情報を上位部へ送る工程と、
を含むことを特徴とする受動的構成品の管理運用方法。
【請求項６】
構成情報データベースに受動的構成品の情報を蓄積し、コンピュータによって受動的構成品を管理運用する方法であって、
構成品についての設計、選定又は検索を支援又は行い、設計結果情報、選定結果情報又は検索結果情報を出力する工程と、
設計結果情報、選定結果情報又は検索結果情報により構成情報データベースの情報を予約状態とする工程と、
設計結果情報、選定結果情報又は検索結果情報により工事指示情報を生成して送信する工程と、
工事指示情報を受信し、該工事指示情報を作業者へ表示し、構成品情報を受け取り、工事後の作業内容情報又は工事不能を示すエラー情報を送信する工程と、
作業内容情報を受信した場合には、該作業内容情報と設計結果情報、選択結果情報又は検索結果情報とを照合し、構成情報データベースの情報を登録状態とする工程と、エラー情報を受信した場合には構成品を再選定する工程と、
を含むことを特徴とする受動的構成品の管理運用方法。
【請求項７】
構成情報データベースに受動的構成品の情報を蓄積し、コンピュータによって受動的構成品を管理運用するためのプログラムを記録したコンピュータ読み取り可能な記録媒体であって、
構成品の設計結果情報、選定結果情報又は検索結果情報を受け取り、該設計結果情報、選定結果情報又は検索結果情報により構成情報データベースの情報を予約状態とする処理と、
設計結果情報、選定結果情報又は検索結果情報により工事指示情報を生成して作業者端末へ送信する処理と、
作業者端末から工事後の作業内容情報又は工事不能を示すエラー情報を受信し、作業内容情報を受信した場合には該作業内容情報と設計結果情報、選択結果情報又は検索結果情報とを照合し、構成情報データベースの情報を登録状態とし、エラー情報を受信した場合にはエラー情報を上位部へ送る処理と、
作業者端末にて、工事指示情報を受信し、該工事指示情報を作業者へ表示し、構成品情報を受け取り、作業内容情報を送信する処理と、
を実現させる受動的構成品の管理運用プログラムを記録した記録媒体。
【請求項８】
構成情報データベースに受動的構成品の情報を蓄積し、コンピュータによって受動的構成品を管理運用するためのプログラムを記録したコンピュータ読み取り可能な記録媒体であって、
構成品についての設計、選択又は検索を支援又は行い、設計結果情報、選定結果情報又は検索結果情報を出力する処理と、
設計結果情報、選定結果情報又は検索結果情報を受け取り、該設計結果情報、選定結果情報又は検索結果情報により構成情報データベースの情報を予約状態とする処理と、
設計結果情報、選定結果情報又は検索結果情報により工事指示情報を生成して作業者端末へ送信する処理と、
作業者端末から工事後の作業内容情報又は工事不能を示すエラー情報を受信し、作業内容情報を受信した場合には、該作業内容情報と設計結果情報、選択結果情報又は検索結果情報とを照合し、構成情報データベースの情報を登録状態とする処理と、エラー情報を受信した場合には構成品を再選定する処理と、
作業者端末にて、工事指示情報を受信し、該工事指示情報を作業者へ表示し、構成品情報を受け取り、作業内容情報を送信する処理と、
を実現させる受動的構成品の管理運用プログラムを記録した記録媒体。
【発明の詳細な説明】
【０００１】
【発明の属する技術分野】
本発明は、コンピュータを利用して、受動的な物品により構成される設備を管理・運用するための技術分野に関する。
【０００２】
【従来の技術】
受動的構成品からなるシステムとは、屋外に設置されているケーブル、配管、電柱、マンホールや、ビル内の配線、キャビネット等の多数の構成品からなっているシステムのことをいう。具体例としては、光ファイバケーブル、心線、コネクタ、光カプラ、その他の部品およびそれらを収容する棚（以下、架と言う）、箱（キャビネット、クロージャ）等から構成される光ファイバシステムがある。
【０００３】
従来、受動的な物品（以下、受動的構成品という）からなるシステムでは、設備の設計、設備の管理などの業務部分については、作業を支援するためのツールやコンピュータを利用したデータベースが開発、利用されてきている。
【０００４】
しかし、受動的構成品は高密度に実装されかつ、管理項目が多いことから、工事等の作業結果をデータベースに登録するに当たっては手作業とせざるを得ず、構成品が能動的である場合のような自動化は不可能であった。つまり、工事により設備を構築する行為と設備データを構築する行為とは自動的な連動は不可能で、正確なデータベース構築の支障となり、設備運用上の問題となっていた。さらには、その後の設備利用時においても、設備を選定する行為と設備間のつながり情報の構築とも連動しないため、データベース維持も煩雑であり、正確なデータベース維持が困難なことも問題であった。
【０００５】
受動的構成品からなるシステムでサービスを提供するいわゆる設備産業においては、上述の構成品間のつながり情報が非常に膨大かつ重要な情報である。具体的なつながり情報を利用する業務には、お客様からサービス提供を求められてから提供できるか否かの判断若しくはどの構成品が不足しているかの調査、サービスを提供している設備が故障したときの迂回設備の選定、お客様から故障の申告があったときの関連設備のリストアップ等がある。これらの業務において、正確な構成品及びそのつながり情報がデータベースとして構築されていることは非常に重要なことであって、実際の設備とデータとの不一致は非常に大きな労力を損失することにつながる。
【０００６】
似た技術として一般的になっているものには、例えば工場内での製造工程と備品の管理の関係がある。最終製品を製造番号として管理し、その中の構成部品を製造番号とのつながりとして管理するものである。しかし、これは注意を要する部品や主要部品に対して行うことが一般的で、多くの部品はロッド単位の管理や管理していない場合もある。さらに、製造工程も多くの場合、自動化されており、本発明が問題としている設計データと工事結果との不一致やデータの誤登録のような問題が起きにくい環境にある。言い換えると、自動化が進んでいる工場においては、部品は受動的であってもそれを組み立てているロボット等が能動的であり、指示と異なる工事（組立）を行うことを防止する工夫をロボットを使うことで実現しているため、本発明が対象とする分野とは大きく異なる。
【０００７】
一方、類似するシステムには小売業界で一般的となっているバーコードを利用した商品の在庫、売り上げの管理システムもあるが、これらのシステムでは管理対象が商品であり構成品ではないため、在庫数量、価格等の独立した項目の管理で足り、設備の設計・選定・工事確認、構成品間のつながり情報管理等のデータベースを複雑化させ、運用を煩雑にさせる要素が無いという特徴から早期にシステム化が進んでいる。このように、商品の管理等に利用されているシステムは商品間のつながり情報が不要であり、本発明が対象とする分野とは大きく異なる。さらに言えば、商品間のつながり情報が不要と言うことは、在庫数の誤投入等による実際の在庫とシステム上の在庫データとの不一致は、単純に正確な在庫把握ができないと言う問題にとどまるのに対し、本発明が課題としている構成品の場合には、実際の構成品とデータとの不一致は、つながり情報に基づく検索等の業務においては大きな問題となり、管理・運用に過大な労力が必要となってしまう。
【０００８】
【発明が解決しようとする課題】
本発明の目的は、コンピュータにより受動的構成品を管理運用するにあたり、受動的構成品からなる設備の設計から運用に至る一連の流れの中で実際の設備、構成品のつながりとデータベースとの整合を図ること、および、正確なデータベース構築を基盤として設備運用の効率化を実現する設備利用開始時、利用停止時、故障など時の自動選定方法を確立することにある。
【０００９】
【課題を解決するための手段】
本発明の受動的構成品を管理運用するシステムの一実施形態においては、設計支援部又は自動設計部、工事情報流通・照合部、識別コード入力装置付きの構成変更工事支援部、各構成品に識別コードが取り付けられた受動的構成品群、及び構成情報データベースからなる。
【００１０】
設計支援部又は自動設計部は、設備を追加するための設計を人間が行う上での支援をする機能、上位管理センタなどからの要求により在庫となっている設備を選定する機能、設備の利用を停止し空き設備の状態に戻す場合や空き設備を撤去する場合に設備を検索する機能などを有しており、管理センタとのインターフェース（ＩＦ）、人間が作業するためのヒューマン・マシン・インターフェース
（ＨＭＩ）、構成情報データベースから構成情報を受け取るＩＦ、設計結果情報などを構成情報データベース及び工事情報流通・照合部に転送するＩＦ等を有する。
【００１１】
工事情報流通・照合部は、一連の工事工程を管理し、情報を流通させる役割を果たす部分であり、工程管理機能、設計結果情報などと作業内容情報とを照合する機能を有しており、設計支援部又は自動設計部から設計結果情報などを受け取るＩＦ、構成変更工事支援部へ工事指示情報を送るＩＦ、構成変更工事支援部から作業内容情報又はエラー情報を受信するＩＦ、工事結果情報を構成情報データベースへ送るＩＦ、エラー情報と工事指示情報とを照合し、該エラー情報を設計支援部又は自動設計部に送信するＩＦ、管理センタとのＩＦ等を有する。
【００１２】
構成変更工事支援部は、作業者への工事指示の表示機能、工事内容の確認機能、工事指示と設備の照合をする機能などを有しており、工事情報流通・照合部から工事指示情報を受け取るＩＦ、識別コード入力装置を通して構成品情報を受け取るＩＦ、工事情報流通・照合部へ作業内容情報及び工事が実施不能の場合にはエラー情報を送るＩＦ等を有する。
【００１３】
受動的構成品群は、管理・運用の対象となるものであるが、製造会社等にてユニークな番号と情報を持つ識別コード（例えば、二次元バーコード）が取り付けられている。
【００１４】
構成情報データベースは、受動的構成品群の構成情報を蓄積する役割を果たし、設計結果情報、選定結果情報、予約変更削除情報又は検索結果情報と工事結果情報に従って構成情報を更新する機能、設計支援又は自動設計部などへ構成情報を送るＩＦ、設計結果情報などを受け取るＩＦ、工事情報流通・照合部から工事結果情報を受け取るＩＦ、管理センタとのＩＦなどを有している。
【００１５】
上記各部が有機的に結合し、コンピュータソフトウェアの処理手順に従って動作することで、受動的構成品からなる設備の設計から運用に至る一連の流れの中で実際の設備、構成品のつながりと構成情報データベースとの整合を図り、また、この正確なデータベース構築を基盤として、設備運用の効率化を実現する設備利用開始時、利用停止時、故障時の自動選定方法などを可能にしている。従来の技術とは、最もデータの不整合が生じやすかった工事内容と受動的構成品群の情報とを一致させるための構成と処理手順が確立されている点と、受動的物品群の設計から工事、撤去に至る一連の運用方法について確立されている点が異なる。
【００１６】
【発明の実施の形態】
以下、本発明の一実施の形態について図面により説明する。
図１は本発明の一実施の形態の全体的なシステム構成を示す。ここで、管理センタ１０は全国あるいは地方の規模等で受動的構成品群を総合的に管理する上位システムである。一方、管理・運用ワークステーション１００は各地域や設備場所ごとに存在し、当該地域や設備場所の受動的構成品群の管理・運用を司どる。各管理・運用ワークステーション１００は処理モジュール１１０と構成情報データベースを有し、広域の通信ネットワーク５０を通して管理センタ１０に接続され、また、ＬＡＮなどの通信ネットワーク２００を通して作業支援携帯端末３００と接続される。作業支援携帯端末３００は作業者が携帯し、管理・運用ワークステーション１００からの工事指示の受信及び表示や、作業内容の管理・運用ワークステーション１００への送信などに用いる。
【００１７】
作業支援携帯端末３００にはバーコードリーダなどの識別コード入力装置３１０が接続されている。管理・運用の対象となる受動的構成品群４００の各物品には２次元バーコードなどの識別コードが取り付けられている（例えば通信設備であればケーブル部のみでなく各心線に対しても取り付けられている）。作業者は識別コード入力装置３１０を用いて受動的構成品群４０の構成情報を読み取り、作業支援携帯端末３００に入力する。
【００１８】
なお、通信ネットワーク５０、２００は同じでもよく、また、管理センタ１０と管理・運用ワークステーション１００の間や、管理・運用ワークステーション１００と作業支援携帯端末３００の間は専用回線で結ばれてもよい。
【００１９】
図２は、図１のシステムの機能ブロック構成を示す。図２において、管理・運用ワークステーション１００の処理モジュール１１０は設計支援部又は自動設計部１１２と工事情報流通・照合部１１４からなる。該管理・運用ワークステーション１００の設計支援部又は自動設計部１１２、工事情報流通・照合部１１４、及び、構成情報データベース（ＤＢ）１２０は、一体的に構成されてもよく、あるいはそれぞれＬＡＮ等で接続されてもよい。作業支援携帯端末３００は構成変更工事支援部３０２を有する。
【００２０】
設計支援部又は自動設計部１１２は、設備を追加（以下、増設という）するための設計を人間が行う上での支援をする機能、管理センタ１０からの要求により在庫となっている設備（以下、空き設備という）を選定（以下、設備選定という）する機能、設備の利用を停止し空き設備の状態に戻す（以下、設備解除という）場合や空き設備を撤去する（以下、撤去という）場合に設備を検索（以下、設備検索という）する機能などを有しており、管理システム１０とのインターフェース（ＩＦ）、人間が作業するためのヒューマン・マシン・インターフェース（ＨＭＩ）、構成情報データベース１２０から構成情報を受け取るＩＦ、工事情報流通・照合部１１４や構成情報データベース１２０へ設計結果情報など（設計結果情報、選択結果情報、検索結果情報）を転送するＩＦを有する。
【００２１】
工事情報流通・照合部１１４は、施工者による受動的構成品群４００の一連の工事工程を管理し、構成情報等を流通させる役割を果たす部分であり、工事工程管理機能、設計情報などと作業内容とを照合する機能を有しており、工事支援部又は自動設計部１１２から設計結果情報などを受け取るＩＦ、必要なら設計結果情報などを構成情報データベース１２０へ送るＩＦ、構成変更工事支援部３０２へ工事指示情報を送るＩＦ、構成変更工事支援部３０２からの作業内容情報を受け取るＩＦ、構成情報データベース１２０へ工事結果情報等を送るＩＦ、構成情報データベース１２０から構成情報を受け取るＩＦ、管理センタ１０とのＩＦなどを有する。
【００２２】
構成情報データベース１２０は、当該管理・運用ワークステーション１００の管理・運用の対象となる受動的構成品群４００の構成情報を管理・蓄積する役割をはたし、設計支援部又は自動設計部１１２や工事情報流通・照合部１１４へ構成情報を送るＩＦ、設計支援部又は自動設計部１１２から設計結果情報などを受け取るＩＦ、工事情報流通・照合部１１４から工事結果情報や予約削除情報、更には必要なら設計結果情報などを受け取るＩＦ、管理センタ１０とのＩＦなどを有している。
【００２３】
構成変更工事支援部３０２は作業者への工事指示の表示機能、工事内容の確認機能、工事指示と設備の照合をする機能を有しており、工事情報流通・照合部１１４から工事指示情報を受け取るＩＦ、作業者とのＨＭＩ、識別コード入力装置から構成品情報を受け取るＩＦ、工事情報流通・照合部１１４へ作業内容情報を送るＩＦを有する。
【００２４】
受動的構成品群４００は管理・運用の対象となるものであり、製造会社等にてユニークな番号と情報を持つ識別コード（例えば、二次元バーコード）が取り付けられている。この識別コードは管理対象となる全ての構成品に取付けられており、例えば、光ファイバーケーブルであればケーブル部のみでなく各心線に対しても取り付けられていて、ケーブルの両端では識別コードにより同一の心線であることが確認できるようになっている。
【００２５】
まず、受動的構成品を追加する工事（以下、増設工事という）の場合について、図３に従いながら説明する。
【００２６】
管理・運用ワークステーション１００にて、設計支援部又は自動設計部１１２は、作業者が設計するに際して有効なＨＭＩを提供し、設計作業の支援を行う。あるいは、設計支援部又は自動設計部１１２は管理センタ１０からの増設依頼をトリガとして依頼された増設に必要な設計を行う。この設計支援、自動設計に際して設計支援部又は自動設計部１１２は、必要な既存設備の構成情報を構成情報データベース１２０から受け取る。
【００２７】
ここで、設計とは構成品を追加する場合には追加する構成品の品目を決定したり、構成品をどこに設置するのか、どのように配線するのか等を決める行為である。例えば、通信設備を追加する場合には、通常、所外のケーブルは５年〜１０年の需要を予測して追加し、伝送装置は架（パッケージを並ベるための棚）を設置した後は１年分を予測してパッケージを追加していく。所内のケーブル（ケーブルのほか、いくつかの部品類も含まれる）は所外ケーブルと伝送装置間をつなぐための構成品になる。増設は、所内ケーブル類（ケーブルや部品）を追加する行為を言い、このような場合の設計は、手作業又はＣＡＤのような設計支援ツールを用いて行われる。また、設計結果として必要な部材の数量や工事終了後の設備状況の予定などの情報が得られる。
【００２８】
設計支援部又は自動設計部１１２は、設計された設計結果を電子データ（設計結果情報）として工事情報流通・照合部１１４と構成情報データベース１２０に送る。構成情報データベース１２０では、設計された工事の内容を仮登録（以下、予約という）する。例えば、通信設備を追加する場合、設計結果として得られた設備状況予定が構成情報データベース１２０に記憶され、予約される。
【００２９】
なお、設計結果情報の流れとしては、図４に示すように、設計支援部又は自動設計部１１２から設計結果を工事情報流通・照合部１１４が受け取り、該工事情報流通・照合部１１４が構成情報データベース１２０に設計結果情報を送る方法もある。これは、設計支援部又は自動設計部１１２と構成情報データベース１２０にコンピュータが使われていて、情報の流通がシステム化されている場合には、図３の流れが自然であるのに対して、従来、設計を全て手作業で行っていたような場合には、工程管理をする工事情報流通・照合部１１４が全ての情報の流れをコントロールするべきとの考えから、図４の流れとすることも選択肢としてあり得るからである。
【００３０】
工事情報流通・照合部１１４は工事に必要なデータが設計結果情報だけでは不十分な場合には構成情報データベース１２０から既存設備情報（構成情報）も受け取り、設計結果情報から工事指示情報を作成して、構成変更工事支援部３０２に対して工事指示情報を送る。
【００３１】
構成変更工事支援部３０２はハンド・ヘルド・コンピュータ等の作業支援携帯端末３００にインストールされており、工事指示情報を表示して、作業者へ工事内容を知らせる。作業者は、工事指示情報に従って受動的構成品の増設工事を行い、当該受動的構成品の識別コードをバーコードリーダなどの識別コード入力装置３１０で読みとることで構成品情報を構成変更工事支援部３０２に取り込む。構成変更工事支援部３０２は、工事指示した内容と取り込まれた構成品情報（品名、数等）とが一致することを照合する。以下、構成変更工事支援部３０２による次の工事指示情報の表示、作業者の工事、当該構成品情報の取り込み、照合を繰り返して、工事は設計どおりに進められていく。構成変更工事支援部３０２は、区切りとなる作業（例えば、１日の作業や１週間の作業や工事全部）が終了したところで、作業内容情報を工事情報流通・照合部１１４に送る。また、工事が終われば、構成変更工事支援部３０２は、作業終了情報とともに作業内容情報を工事情報流通・照合部１１４に送る。
【００３２】
管理・運用ワークステーション１００の工事情報流通・照合部１１４は設計結果情報と作業内容情報とを照合し、両情報が一致する場合には、構成情報データベース１２０で予約状態となっていた情報を登録状態に変更する。また、工事情報流通・照合部１１４は、工事依頼者又は管理センタ１０に対して工事終了情報を送る。
【００３３】
しかし、工事の内容が必ずしも工事指示と一致するとは限らない。たとえば、準備して置いた構成品に不良品が含まれていた場合、工事の進捗が予定より遅れた場合も考えられるからである。そこで、構成変更工事支援部３０２は、工事指示情報と異なる作業内容となってしまった場合であっても、その作業内容情報を工事情報流通・照合部１１４に送る。この場合、工事情報流通・照合部１１４は、工事依頼者又は管理センタ１０に対して不一致情報を送る。工事依頼者又は管理センタ１０は、作業内容情報に合わせて構成情報データベース１２０に構成情報を登録とするのか、不一致部分に相当する構成情報データベース１２０の予約状態の情報を削除し再設計をするのかを判断、指示する。作業内容に合わせて登録する指示の場合には、工事情報流通・照合部１１４は、工事結果情報を構成情報データベース１２０に送り、構成情報データベース１２０は工事結果情報に合わせた登録を行う。また、予約状態の情報を削除し再設計する指示の場合には、工事情報流通・照合部は予約削除情報を構成情報データベース１２０に送り、構成情報データベース１２０は予約情報を削除する。
【００３４】
以上の処理により増設工事が終了する。この一連の処理により、増設に伴うデータベース１２０の構築は正確なものとなり、即ち、実際の設備とデータベース１２０の情報は一致し、その後の運用（設備選定、設備解除等）に役立つものとなる。従来は、増設工事は正確に行われたものとしてデータベースの予約情報を確定情報にしてたため、実際の設備とデータベースの情報との不一致の原因となっていた。このような不一致は、除々に蓄積されていき、結局は設計しようとするときには実物を見に行き、データベースが正しいことを確認する必要があった。
【００３５】
次に、受動的構成品を利用するの場合（設備選定）について、図５に従いながら説明する。設備選定とは、増設後などに未使用状態で保留されている設備を選ぶことをいい、データベースから既存設備情報を受け取った後、自動または手動で行う。この段階では、増設の工事や以前に行われた選定に対応する工事が設計、選定のとおり確実に行われ、データベースが実際の設備と一致していることが非常に重要な前提条件となる。
【００３６】
管理センタ１０又は選定者からの依頼を、管理・運用ワークステーション１００の設計支援部又は自動設計部１１２が受け取る。設計支援部又は自動設計部１１２は、構成情報データベース１２０から関連する構成情報を取得し、空き設備内から利用できる設備の組み合わせを選定する。その後、設計支援部又は自動設計部１１２は、選定結果情報を工事情報流通・照合部１１４と構成情報データベース１２０とに送る。構成情報データベース１２０は、受け取った選定結果情報に従い空き設備情報を予約状態に変更する。即ち、使用する設備を選択した結果が、構成情報データベース１２０上では、該当設備情報（構成情報）が予約状態となる。
【００３７】
ここで、増設時と同じように、選定結果情報の流れとしては設計支援部又は自動設計部１１２から構成情報データベース１２０に送るのではなく、工事情報流通・照合部１１４経由で構成情報データベース１２０に送る方法もあり得る。
【００３８】
工事情報流通・照合部１１４は工事に必要なデータが選択結果情報だけでは不十分な場合には、構成情報データベース１２０から既存設備情報も受け取り、選定結果情報から工事指示情報を作成し、該工事指示情報を構成変更工事支援部３０２に送る。
【００３９】
作業支援携帯端末３００の構成変更工事支援部３０２は、作業者に対して工事指示内容を表示する。作業者は、工事指示内容に従い、既在の受動的構成品群４００から対象となると思われる構成品を選び、その識別コードを識別コード入力装置３１０で読み取り、構成品情報を構成変更工事支援部３０２に送る。構成変更工事支援部３０２では、指示した構成品を作業者が選んでいることを確認（照合）する。正しい構成品を選んでいれば、作業者は工事（構成品間の接続等）を行う。例えば、通信設備の場合では、作業者は、構成変更工事支援部３０２にて表示される工事指示内容に従ったケーブルの空き心線や部品を探し、識別コード入力装置３１０を用いて選定結果通りの心線等であることを確認しながら工事を行う。一連の工事指示、工事が終了すれば、構成変更工事支援部３０２は工事終了情報と作業内容情報とを工事情報流通・照合部１１４に送る。
【００４０】
管理・運用ワークステーション１００の工事情報流通・照合部１１４は、工事指示内容と作業内容とを照合した上で、工事結果情報を構成情報データベース１２０に、工事終了情報を管理センタ１０又は選定者に送る。構成情報データベース１２０は予約状態となっているデータを登録（使用）状態に変更する。
【００４１】
この処理の中でも工事時にエラーが生じることがあり得る。たとえば、選定されていた空き設備が故障していた場合などであり、このような場合には再選定が必要となる。この場合についての処理は以下のようになる。
【００４２】
構成変更工事支援部３０２はエラー情報を工事情報流通・照合部１１４に送り、工事情報流通・照合部１１４は工事指示情報と照合した上で設計支援部又は自動設計部１１２にエラー情報を送る。設計支援部又は自動設計部１１２では再選定を行うが、選定内容全てを変更する場合、選定内容の一部を変更すればよい場合、空き設備が無い等の理由により選定不可能な場合とがあり得る。
【００４３】
選定内容全てを変更する場合には、設計支援部又は自動設計部１１２は予約削除情報を構成情報データベース１２０に送り、構成情報データベース１２０は予約情報を削除する。その後、設計支援部又は自動設計部１１２は、選定結果を工事情報流通・照合部１１４と構成情報データベース１２０とに送る処理に戻る。
【００４４】
選定内容の一部を変更すればよい場合には、設計支援部又は自動設計部１１２は工事変更情報を工事情報流通・照合部１１４に送り、予約変更情報を構成情報データベース１２０に送る。構成情報データベース１２０は予約情報の変更を行う。工事情報流通・照合部１１４は、工事変更情報を構成変更工事支援部３０２に送り、構成変更工事支援部３０２は受け取った工事変更情報に従って工事指示情報を表示し、その後の工事が進行する。
【００４５】
選定不可能な場合には、設計支援部又は自動設計部１１２は工事の中止を工事変更情報として工事情報流通・照合部１１４に送り、また、予約削除情報を構成情報データベース１２０に送り、予約情報を削除する。さらに、工事情報流通・照合部１１４は、工事の中止を工事変更情報として構成変更工事支援部３０２に送り、構成変更工事支援部３０２は工事の中止および既に工事済みの構成品を空き状態に戻す指示を表示する。さらに、設計支援部又は自動設計部１１２は設備選定依頼をした管理センタ１０又は人に対して選定不能情報を送る。
【００４６】
この一連の処理によって、選定結果と実際の工事内容との整合が確実となり、正確なデータベース作成、効率的な設備運用が実現できる。特に、使っていないはずの設備が使用われていたり、あるはずの設備が無かったりするトラブルの発生を排除できる。即ち、設備選定に伴う工事及びデータベースの変更が正確なものとなり、その後の運用（設備選定、設備解除等）に役立つものとなる。
【００４７】
次に、受動的構成品の利用を停止するの場合（設備解除又は撤去）について、図６に従いながら説明する。解除とは、使っている設備を保留状態に戻すことをいい、撤去とは、使っている設備又は保留状態の設備を取り外すことをいう。
【００４８】
管理センタ１０又は指示者からの設備撤去依頼を、管理・運用ワークステーション１００の設計支援部又は自動設計部１１２が受ける。設計支援部又は自動設計部１１２は構成情報データベース１２０から関連する構成情報を取得し、撤去する設備の情報を検索する。例えば、通信設備の場合、どの心線又はケーブルを解除・撤去するのかを手動または自動で検索する。設計支援部又は自動設計部１１２は検索結果情報を工事情報流通・照合部１１４と構成情報データベース１２０とに送る。構成情報データベース１２０は受け取った検索結果情報に従い該当設備情報を予約状態に変更する。
【００４９】
ここでも、増設時と同じように、検索結果情報の流れとしては、設計支援部又は自動設計部１１２から構成情報データベース１２０に送るのではなく、工事情報流通・照合部１１４経由で構成情報データベース１２０に送る方法もあり得る。
【００５０】
工事情報流通・照合部１１４は工事に必要なデータが検索結果情報だけでは不十分な場合には構成情報データベース１２０から既存設備情報も受け取り、検索結果情報から工事指示情報を作成し、該工事指示情報を構成変更工事支援部３０２に送る。
【００５１】
作業支援携帯端末３００の構成変更工事支援部３０２は作業者に対して工事指示内容を表示する。作業者は工事指示内容に従い、受動的構成品群４００から対象となると思われる構成品を選び、識別コード入力装置３１０によって構成品情報を構成変更工事支援部３０２に送る。構成変更工事支援部３０２では、指示した構成品を作業者が選んでいることを確認（照合）する。正しい構成品を選んでいれば、作業者は工事（構成品間の接続解除又は設備撤去）を行う。例えば、通信設備の場合、作業者は指示された心線又はケーブルであるか否かをバーコードリーダなどの識別コード入力装置３１０を使いながら確認し、解除・撤去していく。一連の工事指示、工事が終了すれば、構成変更工事支援部３０２は工事終了情報と作業内容情報とを工事情報流通・照合部１１４に送る。
【００５２】
管理・運用ワークステーション１００の工事情報流通・照合部１１４は、工事指示内容と作業内容とを照合した上で、工事結果情報を構成情報データベース１２０に、工事終了情報を管理センタ１０又は指示者に送る。構成情報データベース１２０は予約状態となっているデータを登録（空き状態）する。
【００５３】
この処理の中でも工事時にエラーが生じることがあり得る。たとえば、検索された情報と実際の設備とに不一致が合った場合などである。このような場合には工事不能となる。この場合についての処理は以下のようになる。
【００５４】
構成変更工事支援部３０２がエラー情報を工事情報流通・照合部１１４に送り、工事情報流通・照合部１１４は工事指示情報と照合した上で、管理センタ１０又は指示者に工事不能情報を送る。また工事情報流通・照合部１１４は構成変更工事支援部３０２に工事中止指示情報を送り、作業者に実際の作業を中止させるとともに、構成情報データベース１２０に予約削除情報を送り、予約状態となっているデータをもとの状態に戻すようにする。
【００５５】
この一連の処理の中では、運時のデータベースが正確に構築されていることが非常に重要であり、対象の構成品を識別コードで確認しながら解除・撤去を進めることで、例えば間違って他の心線を解除・撤去し通信断としてしまうような事故を未然に防ぐという効果が期待できる。
【００５６】
以上、本発明の一実施の形態について説明したが、本発明はこれに限られるものでないことは云うまでもない。また、図３乃至図６で説明したような処理手順は、受動的構成品の管理運用プログラムとしてコンピュータで実行可能な言語で記述し、コンピュータが読み取り可能な記録媒体（ＦＤ、ＣＤ−ＲＯＭ、ＭＤなど）に記録して提供することが可能である。この管理運用プログラムを管理・運用ワークステーション１００や作業支援携帯端末３００にそれぞれインストールすることにより、所期の機能が実現する。
【００５７】
【発明の効果】
以上説明したように、本発明によれば、設計支援部又は自動設計部、工事情報流通・照合部、構成変更工事支援部、識別コードが取り付けられている受動的構成品群、構成情報データベースなどが有機的に結合されて、コンピュータソフトウェアの処理手順などに従って動作させることにより、能動的構成品からなる設備の設計から運用に至る一連の流れの中で実際の設備、構成品のつながりとデータベースの整合を図ることおよび、正確なデータベースを基盤として設備運用の効率化を実現する設備利用開始時、利用停止時、故障時などの自動選定が可能となる効果がある。
【図面の簡単な説明】
【図１】本発明の一実施の形態の全体的システム構成を示す図である。
【図２】図１に対応する機能ブロック図である。
【図３】本発明の一実施の形態の増設時の処理の流れを示す図である。
【図４】本発明の一実施の形態の増設時の他の処理の流れを示す図である。
【図５】本発明の一実施の形態の設備利用時の処理の流れを示す図である。
【図６】本発明の一実施の形態の設備解除、撤去時の処理の流れを示す図である。
【符号の説明】
１０    管理センタ
１００  管理・運用ワークステーション
１１０  処理モジュール
１１２  設計支援部又は自動設計部
１１４  工事情報通流・照合部
１２０  構成情報データベース
３００  作業支援携帯端末
３０２  構成変更工事支援部
３１０  識別コード入力装置
４００  受動的構成品群
【図１】
0003727814.tif 000002
【図２】
0003727814.tif 000003
【図３】
0003727814.tif 000004
【図４】
0003727814.tif 000005
【図５】
0003727814.tif 000006
【図６】
0003727814.tif 000007